(57)【要約】【課題】  入力信号のビデオ信号方式の変換を行う際に、ビデオ信号方式の変換状態をユーザが確認できるようにする。【解決手段】  外部入力端子（５）と、入力されたビデオ信号の方式を識別する識別回路（６）と、その識別結果に応じてビデオ信号の方式を変換する信号変換回路（４ａ）と、ビデオ信号方式の変換を行うときに、変換可能なビデオ信号方式に関する情報を表示部（７）に表示させる。【選択図】  図１
2006074732.tif 000002
【特許請求の範囲】
【請求項１】
外部入力端子と、
前記外部入力端子より入力されたビデオ信号の方式を識別する信号識別手段と、
前記信号識別手段の識別結果に応じて前記ビデオ信号の方式を変換する信号変換手段と、
前記信号変換手段により前記ビデオ信号の変換処理を行うときに、変換可能なビデオ信号の方式に関する情報を表示画面上に表示するように制御する表示制御手段とを備えたことを特徴とするビデオ信号処理装置。
【請求項２】
前記表示制御手段は、変換可能な複数のビデオ信号方式を選択可能な状態で表示するよう制御することを特徴とする請求項１に記載のビデオ信号処理装置。
【請求項３】
前記表示制御手段は、さらに記録先となる記録媒体を選択可能な状態で表示するよう制御することを特徴とする請求項２に記載のビデオ信号処理装置。
【請求項４】
前記表示制御手段によって表示制御される前記変換可能なビデオ信号の方式に関する情報としては、画質、アスペクト比、有効画素、画面サイズのうち、少なくとも一つを含むことを特徴とする請求項１に記載のビデオ信号処理装置。
【請求項５】
前記表示制御手段は、記録可能時間及び記録先となる記録媒体の情報のうち少なくとも一つをさらに表示するよう制御することを特徴とする請求項１または４に記載のビデオ信号処理装置。
【請求項６】
前記表示制御手段は、外部入力端子より入力されたビデオ信号の方式に関する第１の情報と、前記信号変換手段によって変換可能なビデオ信号の方式に関する、前記第１の情報に応じて変化する第２の情報とを表示するよう制御することを特徴とする請求項１に記載のビデオ信号処理装置。
【請求項７】
前記表示制御手段は、前記入力されたビデオ信号が認識できない場合には警告表示を前記表示画面上に表示するように制御することを特徴とする請求項１に記載のビデオ信号処理装置。
【請求項８】
前記外部入力端子はＤ端子であることを特徴とする請求項１乃至７の何れか一項に記載のビデオ信号処理装置。
【請求項９】
外部入力端子より入力された入力ビデオ信号の方式を識別する信号識別工程と、
前記信号識別工程の識別結果に応じて前記ビデオ信号の方式を変換する信号変換工程と、
前記信号変換工程により前記ビデオ信号の変換処理を行うときに、変換可能なビデオ信号の方式に関する情報を表示画面上に表示するように制御する表示制御工程とを有することを特徴とするビデオ信号処理方法。
【請求項１０】
外部入力端子より入力された入力ビデオ信号の方式を識別する信号識別工程と、
前記信号識別工程の識別結果に応じて前記ビデオ信号の方式を変換する信号変換工程と、
前記信号変換工程により前記ビデオ信号の変換処理を行うときに、変換可能なビデオ信号の方式に関する情報を表示画面上に表示するように制御する表示制御工程とを有するビデオ信号処理方法をコンピュータに実行させるコンピュータプログラム。
【請求項１１】
前記請求項１０に記載のコンピュータプログラムを記録したコンピュータ読み取り可能な記録媒体。
【発明の詳細な説明】
【技術分野】
【０００１】
本発明はビデオ信号処理装置やビデオ信号処理方法に関し、例えばビデオカメラ、テレビジョン、ビデオレコーダ等の映像機器に用いて好適なものである。
【背景技術】
【０００２】
従来、ビデオカメラ、テレビジョン、ビデオレコーダ等の映像機器の技術分野においては、複数のビデオ信号方式が存在する。ビデオ信号方式が違うと、画面の解像度やアスペクト比等が異なってくる。
【０００３】
映像機器の中では、ビデオ信号方式が異なる複数の入力信号に対して互換性を備えたものがある。例えば、テレビジョン受像機やビデオデッキにおいて、入力された信号の方式に応じた映像の表示や記録を可能としている製品が提案されている。この種の技術を開示する文献として、アナログ信号の入力端子の一つである「Ｄ端子」の識別信号から入力信号のアスペクト比を検出し、その検出結果に基づいてアスペクト比を自動変換するワイドディスプレイに関する特許文献１がある。
【特許文献１】特開２００２−１９０９９４号公報
【発明の開示】
【発明が解決しようとする課題】
【０００４】
しかしながら、このような従来の構成では、ユーザ側から見てどのような変換処理が行われているのか分からず、現在表示されている映像がどのような入力信号であるのか分からない場合がある。また、ビデオレコーダで記録する際、入力信号の方式と、記録されるビデオ信号の方式をユーザに通知していないと、正しく表示や記録ができなかったり、記録できたとしても予想外の形態で記録されたり、記録時間が合わなかったりする等の不都合が発生する問題点があった。
【０００５】
本発明は前述の如き問題点を解決することを目的とする。
【０００６】
本発明は入力信号のビデオ信号方式の変換を行う際に、ビデオ信号方式の変換状態をユーザが容易に判断できるようにすることを更なる目的とする。
【課題を解決するための手段】
【０００７】
上記課題を解決するために、本発明のビデオ信号処理装置は、外部入力端子と、前記外部入力端子より入力されたビデオ信号の方式を識別する信号識別手段と、前記信号識別手段の識別結果に応じて前記ビデオ信号の方式を変換する信号変換手段と、前記信号変換手段により前記ビデオ信号の変換処理を行うときに、変換可能なビデオ信号の方式に関する情報を表示画面上に表示するように制御する表示制御手段とを備えたことを特徴とする。
【０００８】
また、本発明のビデオ信号処理方法は、外部入力端子より入力された入力ビデオ信号の方式を識別する信号識別工程と、前記信号識別工程の識別結果に応じて前記ビデオ信号の方式を変換する信号変換工程と、前記信号変換工程により前記ビデオ信号の変換処理を行うときに、変換可能なビデオ信号の方式に関する情報を表示画面上に表示するように制御する表示制御工程とを有することを特徴とする。
【発明の効果】
【０００９】
本発明によれば、入力信号の方式を変換するときの状態を表示できることにより、ユーザが容易に状況を判断することができるようになる。
【発明を実施するための最良の形態】
【００１０】
以下、本発明の実施形態について、図面を用いて詳細に説明する。
【００１１】
（第１の実施の形態）
図１は、本発明のビデオ信号処理装置の実施形態となるカメラ一体型ビデオレコーダ（デジタルビデオカメラ）の構成例を示すブロック図である。図１において、１はレンズ、２はＣＣＤ、３はカメラ処理部、４は信号処理部であり信号変換回路４ａを有している。５はビデオ及びオーディオの入出力端子でありＤ端子、Ｓ端子（以上、アナログ信号の入出力用）及びＤＶ端子（デジタル信号の入出力用）を有している。６は識別回路、７は画像を表示可能な表示部である。８はユーザからの各種指示入力に用いる操作部、９はマイクロコンピュータであり、図示しないＣＰＵ、ＲＡＭ及びＲＯＭ等を有している。１０は記録媒体であり、磁気テープ及びメモリカードへの記録再生が可能な構成を備える。なお、磁気テープの代わりに光ディスクを用いて構成しても良い。
【００１２】
図１のような構成をもつデジタルビデオカメラは、レンズ１から取込まれた被写体像をＣＣＤ２にて電気信号に変換する。そして、その変換した電気信号をカメラ処理部３及び信号処理部４で所定の処理を施して表示部７で表示したり、信号処理部４内で圧縮符号化して記録媒体１０に記録したりできる。
【００１３】
更に、本実施の形態のデジタルビデオカメラにおいては、入出力端子５を使用してビデオ信号の入出力を可能としている。特に、外部の信号入力機器（テレビジョンや他のビデオカメラ等）１１からＤ端子を介して入力される入力信号に対しては、識別回路６でそのビデオ信号方式を識別し、前記信号処理部４にて必要な信号処理を行う。信号処理部４において信号変換回路４ａが使用されることがあるが、その動作については図２を用いて後述する。その後、信号処理されたビデオ信号は、表示部７で表示可能となると共に、必要な場合は信号処理部４内の不図示の圧縮符号部で圧縮符号化されて、記録媒体１０に記録される。デジタルビデオカメラの各部の動作制御はマイクロコンピュータ９によって行われる。
【００１４】
ここで、入出力端子５としてＤ端子を使用してビデオ信号の入力が行われる場合であって、かつデジタルビデオカメラの動作モードが記録モードであることを前提として、引き続き以下の説明を行う。
【００１５】
図２のフローチャートを用いてデジタルビデオカメラの動作手順の説明を行う。
【００１６】
先ず、ステップＳ１０１において記録ポーズ状態となる。次に、ステップＳ１０２において、Ｄ端子より入力された入力信号に対して、認識可能か否か、ビデオ信号の識別判断を行う。この識別判断は、図３に示す如きＤ端子に関するフォーマットに従っているか否かで判断する。図３のフォーマットに該当する場合は認識可能となる。また具体的な識別方法は、識別回路６が、Ｄ端子が有する３本の識別信号ラインにおける識別電圧（５Ｖ＋０／−１．５），（２．２Ｖ＋０．２／−０．８），（０Ｖ）を判定することによって識別する。
【００１７】
識別判断の結果、認識可能でない（ステップＳ１０２でＮＯ）と判断された場合にはステップＳ１０３に進み、例えば図４に示すような警告表示を表示部７に表示するか、または音声で伝えるかの少なくともどちらかの処理を行う。
【００１８】
一方、ステップＳ１０２の識別判断の結果、認識可能である（ステップＳ１０２でＹＥＳ）と判断された場合にはステップＳ１０４へ進み、入力信号の方式を調べる。次に、ステップＳ１０５へ進み、入力信号をそのままの形態で記録処理等できる信号であるか否かの判断を行う。この判断で処理可能であると判断された場合（ステップＳ１０５でＹＥＳ）にはステップＳ１０９に進み、入力信号方式の変換を行うことなく記録を開始する。
【００１９】
一方、ステップＳ１０５の判断の結果、入力信号をそのままの形態では処理できないと判断された場合（ステップＳ１０５のＮＯ）、ステップＳ１０６へ進み、入力信号の変換処理を行うフローに入る。このときに、ユーザに変換前後の情報を分かりやすく提供し、選択を行わせるために、表示部７で図５に示すような表示を行う。
【００２０】
本実施の形態においては、入力信号の情報として「画質」、「アスペクト比」、「有効画素」、「入力画面サイズ」のうち、少なくとも一つを表示する。さらに、変換後の記録信号の情報として、「画質」、「アスペクト比」、「有効画素」、「記録画面サイズ」、及び「記録可能時間」と記録先となる「記録媒体」の少なくとも一つを表示するものである。図５のように、記録信号の情報はタイプの異なる複数パターンを表示しても良い。
【００２１】
具体的に、その時点での入力信号と記録可能な信号の情報を含めて表示すると、図６のような表示が行える。図６は、ステップＳ１０７の変換処理時の内容確認画面の表示例である。そして本実施の形態のデジタルビデオカメラの更なる特徴は、変換後の記録信号に係る情報をユーザに分かりやすく提供し、ステップＳ１０７において行われる内容確認表示により、ユーザが操作部８を用いて任意に記録信号の方式及び記録先とする記録媒体を選択できる点である。
【００２２】
図６は、入力信号の変換処理の第１例として、「画質１２８０＊７２０／６０ｐ」、「アスペクト比１６：９」、「有効画素１２８０＊７２０」である入力信号が入力された例である。この場合、変換後となる記録信号として考えられるのは「画質７２０＊４８０／６０ｉ」で「アスペクト比４：３」又は「アスペクト比１６：９」、或いは「画質１９２０＊１０８０／６０ｉ」等となる。記録媒体はテープまたはカード（メモリカード）が考えられる。図６にこのときに選択可能とする変換パターンの参考画面を示す。
【００２３】
図７は、入力信号の変換処理の第２例として、「画質７２０＊４８０／６０ｐ」、「アスペクト比４：３」、「有効画素７２０＊４８０」である入力信号が入力された例である。この場合、変換後となる記録信号して考えられるのは「画質７２０＊４８０／６０ｉ」で「アスペクト比４：３」又は「アスペクト比１６：９」、或いは「画質７２０＊４８０／６０ｐ」で「アスペクト比４：３」等となる。記録媒体はテープまたはカード（メモリカード）が考えられる。図７にこのときに選択可能とする変換パターンの参考画面を示す。
【００２４】
次に、ステップＳ１０８に進み、ユーザが所望の変換パターンを指定して記録信号の方式が選択されることによって、変換処理を確定するときの確認画面を表示部７に表示する。図８に変換処理を確定するときの確認画面の例を示す。ここで確認される（操作部８を操作してＹＥＳが指示される）と入力信号の変換処理を実行する。入力信号の変換処理は、信号変換回路４ａで行われる。信号変換回路４ａはマイクロコンピュータの制御のもと、入力信号をユーザ指定に基づくビデオ信号方式となる記録信号に変換する。
【００２５】
ステップＳ１０８で入力信号の変換処理が行われると、ステップＳ１０９として、変換処理によって得られた記録信号を選択された記録媒体へ記録開始する。その後、ステップＳ１１０に進み、記録が終了されたか否かを判断する。記録が中断されたときや記録媒体の残量がなくなったときも記録終了に相当する。この判断の結果、記録が終了したと判断された場合（ステップＳ１１０でＹＥＳ）はステップＳ１１２に進んで記録終了する。
【００２６】
一方、ステップＳ１１０の判断の結果、記録が終了していないと判断した場合（ステップＳ１１０でＮＯ）は記録を続ける。本実施の形態においては、ステップＳ１１１において、記録中でも入力信号の方式が変更されていないかを判断している。この判断は入力端子が抜かれていないかを含んでいる。この判断の結果、変更されていないと判断しているとき（ステップＳ１１１でＹＥＳ）はステップＳ１１０へ進んで記録を続ける。また、変更されたと判断した場合（ステップＳ１１１でＮＯ）は記録動作を一時停止し、ステップＳ１０１に戻る。
【００２７】
（第２の実施の形態）
図９は、本発明の第２の実施形態であるデジタルビデオカメラの動作手順の例を示すフローチャートである。本実施形態のデジタルビデオカメラの構成は図１をそのまま用いる。
【００２８】
本実施形態のデジタルビデオカメラの特徴は、記録媒体上の記録可能時間が、入力信号の記録時間を満たしていない場合、記録時間を満たすことができる記録信号の方式を探して、入力信号をその方式へ変換できることである。なお、図９において、ステップ番号の２０１〜２１１までの動作内容は、それぞれ、図２におけるステップ番号の１０１〜１１１までの動作内容と同様であるので、前述したステップ１０１〜１１１の説明をそのまま引用する。本実施形態においては、ステップＳ２０５において、処理可能であると判断された場合（ステップＳ２０５でＹＥＳ）にはステップＳ２１２に進み、記録可能時間を表示する。図１０にこのときの確認画面の表示例を示す。本実施形態においては、記録信号に関する情報として、「画質」、「アスペクト比」、「有効画素」を表示する。また、記録可能時間を「テープ」、「カード」のそれぞれについて表示している。さらに、表示画面上で確認した内容に対して、記録を行うかか否かを選択する「イエス」、「ノー」ボタンを表示している。
【００２９】
次に、ステップＳ２１３において、ユーザは、この表示を見て入力信号を記録したい時間を満たしているか否かを確認し、記録媒体を指定したうえで、「イエス」、「ノー」のいずれかを指示する。これにより記録信号の方式を変更したいか否かの判断がなされる。この判断の結果、記録信号の方式を変更する（記録時間を変更する）場合（ステップＳ２１３でＹＥＳ）、ステップＳ２０６に進み、入力信号の変換処理を行う際の変換パターンを選択する表示画面を表示する。その後の処理は第１の実施の形態と同様である。
【００３０】
また、ステップＳ２１３の判断の結果、記録信号の方式を変更しない場合（ステップＳ２１３でＮＯ）には、ステップＳ２０９に進んで入力信号をそのままの方式で記録を開始する。その後の処理は前述した第１の実施の形態と同様である。
【００３１】
（本発明に係る他の実施の形態）
前述した各実施形態では、Ｄ端子から入力される信号に対してビデオ信号方式を識別する構成に関して説明したが、Ｓ端子やその他の端子から入力される信号に対しても本発明の技術を適用できることはいうまでもない。
【００３２】
また、前述した本発明の実施の形態におけるビデオ信号処理装置を構成する各手段、すなわち、信号識別手段、信号変換手段及び表示制御手段は、マイクロコンピュータ９のＲＡＭやＲＯＭなどに記憶されたプログラムが動作し、マイクロコンピュータ９によって各部が制御されることによって実現できる。
【００３３】
また、ビデオ信号処理方法の各ステップ、信号識別工程、信号変換工程及び表示制御工程は、前記と同様に、マイクロコンピュータ９のＲＡＭやＲＯＭなどに記憶されたプログラムが動作し、マイクロコンピュータ９によって各部が制御されることによって実現できる。このプログラム及び前記プログラムを記録したコンピュータ読み取り可能な記憶媒体は本発明に含まれる。
【００３４】
具体的に、前記プログラムは、例えばＣＤ−ＲＯＭのような記録媒体に記録し、或いは各種伝送媒体を介し、コンピュータに提供される。前記プログラムを記録する記録媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体（光ファイバ等の有線回線や無線回線等）を用いることができる。
【００３５】
また、コンピュータが供給されたプログラムを実行することにより前述した実施の形態における各機能が実現されるだけでなく、そのプログラムがコンピュータにおいて稼働しているＯＳ（オペレーティングシステム）或いは他のアプリケーションソフト等と共同して前述した実施の形態の各機能が実現される場合や、供給されたプログラムの処理の全て或いは一部がコンピュータの機能拡張ボードや機能拡張ユニットにより行われて前述した実施の形態における各機能が実現される場合も、かかるプログラムは本発明に含まれる。
【図面の簡単な説明】
【００３６】
【図１】デジタルビデオカメラの構成例を示したブロック図である。
【図２】第１の実施形態におけるデジタルビデオカメラの動作手順の例を説明するフローチャートである。
【図３】Ｄ端子に関わるフォーマットについて示す図である。
【図４】表示部に警告表示するときの表示例を示す図である。
【図５】変換処理の情報をユーザに提供する表示例を示す図である。
【図６】変換処理時の内容確認画面の表示例を示す図である。
【図７】変換処理時の内容確認画面の他の表示例を示す図である。
【図８】変換処理を確定するときの確認画面の表示例を示す図である。
【図９】第２の実施形態におけるデジタルビデオカメラの動作手順の例を説明するフローチャートである。
【図１０】記録可能時間をユーザに知らせるための確認画面の表示例を示す図である。
【符号の説明】
【００３７】
１  レンズ
２  ＣＣＤ
３  カメラ処理部
４  信号処理部
４ａ  信号変換回路
５  入出力端子
６  識別回路
７  表示部
８  操作部
９  マイクロコンピュータ
１０  記録媒体
１１  信号入力機器
【図１】
2006074732.tif 000003
【図２】
2006074732.tif 000004
【図３】
2006074732.tif 000005
【図４】
2006074732.tif 000006
【図５】
2006074732.tif 000007
【図６】
2006074732.tif 000008
【図７】
2006074732.tif 000009
【図８】
2006074732.tif 000010
【図９】
2006074732.tif 000011
【図１０】
2006074732.tif 000012